【事件の表示】
　特願２０１５−２４４７２８「ＥＬ表示装置」拒絶査定不服審判事件〔平成２８年　５月１２日出願公開、特開２０１６−　７５９４２、請求項の数（２）〕について、次のとおり審決する。
【結　論】
　原査定を取り消す。
　本願の発明は、特許すべきものとする。
【理　由】
第１　手続の経緯 
　本願は、平成２３年９月７日（優先権主張　平成２２年９月１０日）に出願した特願２０１１−１９４４８７号の一部を平成２７年１２月１６日に新たな特許出願としたものであって，平成２８年９月２９日付けで拒絶理由通知がされ、平成２９年２月２０日付けで拒絶査定（原査定）がされ、これに対し、平成２９年５月１９日に拒絶査定不服審判の請求がされたものである。
第２　原査定の概要
　原査定の概要は次のとおりである。
１　本願請求項１に係る発明は、以下の引用文献１に記載された発明、及び引用文献２に記載された発明に基づいて、その発明の属する技術の分野における通常の知識を有する者（以下、「当業者」という。）が容易に発明できたものであるから、特許法第２９条第２項の規定により特許を受けることができない。
２　本願請求項２に係る発明は、以下の引用文献１に記載された発明、引用文献２に記載された発明及び引用文献３に記載された周知技術に基づいて、当業者が容易に発明できたものであるから、特許法第２９条第２項の規定により特許を受けることができない。
　引用文献等一覧
１．特開２００２−２８７６８３号公報
２．特開２００３−２０８１４４号公報
３．特開２０１０−１６０４０７号公報　（周知技術を示す文献）
第３　本願発明
　本願請求項１及び２に係る発明（以下、それぞれ「本願発明１」及び「本願発明２」という。）は、出願時の特許請求の範囲の請求項１及び２に記載された事項により特定される発明であり、本願発明１及び２は以下のとおりの発明である。
　
「【請求項１】
　一画素に、第１トランジスタ乃至第４トランジスタ、第１の容量素子、第２の容量素子並びに発光素子を有し、
　前記第１トランジスタは、ゲートが走査線に電気的に接続され、第１端子が信号線に電気的に接続され、第２端子が前記第１の容量素子の一方の電極に電気的に接続され、
　前記第２トランジスタは、ゲートが第１の制御線に電気的に接続され、第１端子が前記第１の容量素子の一方の電極に電気的に接続され、第２端子が前記第２の容量素子の一方の電極に電気的に接続され、
　前記第３トランジスタは、ゲートが前記第２の容量素子の一方の電極に電気的に接続され、第１端子が第１の電源線に電気的に接続され、第２端子が前記第４トランジスタの第１端子に電気的に接続され、
　前記第４トランジスタは、ゲートが第２の制御線に電気的に接続され、第２端子が前記発光素子に電気的に接続され、
　前記第３のトランジスタに、前記第２の容量素子に蓄積された電荷に応じて電流が流れることで前記発光素子による発光の輝度が制御され、
　前記第１の容量素子の静電容量は、前記第２の容量素子の静電容量よりも大きいことを特徴とするＥＬ表示装置。
【請求項２】
　請求項１において、
　前記第１トランジスタ乃至前記第４トランジスタの半導体層は、酸化物半導体であることを特徴とするＥＬ表示装置。」
第４　引用文献、引用発明等
１　引用文献１について
　引用文献１には、次の記載がある。（下線は当審による。以下同様。）
（１）「【０００１】
　【発明の属する技術分野】
　本発明は、
有機及び無機エレクトロルミネッセンス（以下、「ＥＬ」と記す）素子
を用いた
表示パネル
（２）「【００１４】
　また、時間階調方式は、上述のアナログ階調方式や面積階調方式における問題点を解決するために、発光素子の発光時間を変調して階調を出す方式であり、例えば、ＳＩＤ２０００　ＤＩＧＥＳＴ　３６．１（ｐ．９１２〜９１５）で報告されている。」
（３）「【００１７】
　【発明が解決しようとする課題】
　本発明の課題は、上記時間階調方式で階調表示を行う場合の問題点を解決し、トランジスタの特性バラツキの影響を受けず、高輝度で発光素子を発光させることができる表示パネルとその駆動方法を提供することにある。」
（４）「【００３７】
　図１に、本発明の表示パネルの
１画素の回路構成を模式的に示す。
【００３８】
　本発明においては、第１スイッチ手段１をオンすることにより当該画素を選択（アドレス）し、第１スイッチ手段１を介して、当該画素の発光素子６を発光させるか、非発光かの情報を有する駆動信号が信号保持部２に書き込まれる。信号保持部２に書き込まれた駆動信号は、アドレスが終了して第１スイッチ手段１がオフした後でも保持される。次いで、第２スイッチ手段３をオンすることで信号保持部２に保持された駆動信号は電流制御部４に転送され、駆動信号の情報に基づいて電流制御部４から発光素子６に電流が供給される。この時、直列に配置した第３スイッチ手段５のオン期間を制御することにより、該電流の供給を制御し、発光素子６の発光期間を変調して、結果として階調表示を行うことができる。」
（５）「【００４２】
　さらに、各画素のアドレス及び発光・非発光情報を保持する機能と、発光素子の発光時間を制御する機能をスイッチ手段３、５で分離可能であることから、第２スイッチ手段３をオフした状態で第３スイッチ手段５のオン期間を制御することが可能である。このことから、図３に示した表示期間中に次の表示フィールドの発光・非発光情報を持つ駆動信号を信号保持部３に書き込むことが可能になり、図３に示したよりもさらに表示期間を延ばすことが可能となる。
【００４３】
　図４は、図２の回路構成の画素を２×２として構成した本発明の表示パネルのアクティブマトリクス回路を模式的に示す。図中、１１は走査ドライバ、１２は信号ドライバ、１３、１４は制御信号ドライバ、１５は電源線、１６は走査線、１７は信号線、１８、１９は制御信号線であり、図１、図２と同じ部材には同じ符号を付した。
【００４４】
　図４の構成において、走査ドライバ１１により走査線１６が順次選択され、これと同期して、信号ドライバ１２より信号線１７に、選択された走査線１６に接続された画素の発光・非発光情報を有する駆動信号が印加され、信号線１７を介して各画素の信号保持部２に該駆動信号が書き込まれる。信号保持部２に書き込まれた駆動信号は第２スイッチ手段３を介して電流制御部４に転送され、該駆動信号の情報が発光である画素の発光素子６には電流が第３スイッチ手段５を介して供給される。第３スイッチ手段５のオン・オフは、マトリクス配置された制御信号線１８、１９を介して制御信号ドライバ１３、１４よりマルチプレクサ７に印加される制御信号の組み合わせにより制御される。マルチプレクサ７を駆動する制御信号ドライバ１３、１４は、例えば従来の液晶表示パネル用のドライバ技術をそのまま用いることが可能である。
【００４５】
　次に、本発明の具体的な回路構成について説明する。本発明において好ましい基本構成は、各画素において、上記第１スイッチ手段１が第１トランジスタで構成され、信号保持部２が保持容量であり、第２スイッチ手段３が第２トランジスタで構成され、電流制御部４が第３トランジスタで構成され、
第１トランジスタのゲート電極が
走査線に接続され、第１主電極が
信号線に接続され、第２主電極が上記保持容量の第１電極
に接続され、
第２トランジスタのゲート電極がパルス信号線に接続され、第２主電極が第３トランジスタのゲート電極に接続され、第３トランジスタの第１主電極が第２の電源線に接続され、
【００４６】
　図５に、上記基本構成の一実施形態の回路図を示す。本実施形態は、上記好ましい基本構成における
第１〜第３トランジスタをＴＦＴで構成し、発光素子として有機ＥＬ素子を用いた形態である。図中、５０は−電源線、５１、５４、５６、５８はＴＦＴ、５２は−電源線、５３は保持容量、
６０は有機ＥＬ素子であり
【００４７】
　図５の回路において、走査線１６が選択されてＴＦＴ５１がオンすると、当該画素の発光・非発光情報を有する駆動信号が信号線１７から保持容量５３に書き込まれる。その後、ＴＦＴ５１がオフしても、当該信号は保持容量５３に保持され、次にパルス信号線５５からＴＦＴ５４のオン信号が入力されると、保持容量５３に保持された駆動信号は保持容量５３からＴＦＴ５６のゲート電極に転送される。＋電源線５７からの定電流は、上記駆動信号に応じてＴＦＴ５６を介して有機ＥＬ素子６０に供給される。即ち、駆動信号が発光情報を有する場合にはＴＦＴ５６がオンし、＋電源線５７から定電流が該ＴＦＴ５６を介して有機ＥＬ素子６０に供給され、駆動信号が非発光情報を有する場合にはＴＦＴ５６はオフしたままで有機ＥＬ素子６０には定電流が供給されない。
ＴＦＴ５６を介して供給された定電流は、
パルス信号線５９より入力されるオン信号によってＴＦＴ５８がオンした期間のみ該ＴＦＴ５８を介して有機ＥＬ素子６０に供給される。
ＴＦＴ５８のオン期間の制御によって時間階調を得ることができる。
（６）図５
（７）段落【００３８】の記載「第１スイッチ手段１をオンすることにより当該画素を選択（アドレス）し、第１スイッチ手段１を介して、当該画素の発光素子６を発光させるか、非発光かの情報を有する駆動信号が信号保持部２に書き込まれる。」、段落【００４５】の記載「上記第１スイッチ手段１が第１トランジスタで構成され、信号保持部２が保持容量であり」、及び段落【００４７】の記載「走査線１６が選択されてＴＦＴ５１がオンすると、当該画素の発光・非発光情報を有する駆動信号が信号線１７から保持容量５３に書き込まれる。」から、段落【００４７】に記載の「ＴＦＴ５１」は、段落【００３８】に記載の「第１スイッチ手段１」の機能を有しており、段落【００４５】に記載の「第１スイッチ手段１」を構成する「第１トランジスタ」であると認められる。（以下、「ＴＦＴ５１」を「第１トランジスタＴＦＴ５１」という。）
（８）段落【００４４】の記載「信号保持部２に書き込まれた駆動信号は第２スイッチ手段３を介して電流制御部４に転送され」、段落【００４５】の記載「第２スイッチ手段３が第２トランジスタで構成され、・・・第２トランジスタのゲート電極がパルス信号線に接続され、第２主電極が第３トランジスタのゲート電極に接続され」、段落【００４７】の記載「次にパルス信号線５５からＴＦＴ５４のオン信号が入力されると、保持容量５３に保持された駆動信号は保持容量５３からＴＦＴ５６のゲート電極に転送される。」から、段落【００４６】に記載の「ＴＦＴ５４」は、段落【００４４】に記載の「第２スイッチ手段３」の機能を有しており、段落【００４５】に記載の「第２スイッチ手段３」を構成する「第２トランジスタ」であると認められ（以下、「ＴＦＴ５４」を「第２トランジスタＴＦＴ５４」という。）、段落【００４７】に記載の「パルス信号線５５」が段落【００４５】に記載の「パルス信号線」であると認められる。
（９）段落【００４５】の記載「電流制御部４が第３トランジスタで構成され・・・第２トランジスタのゲート電極がパルス信号線に接続され、第２主電極が第３トランジスタのゲート電極に接続され、第３トランジスタの第１主電極が第２の電源線に接続され、第２主電極が第３スイッチ手段５を介して発光素子の第１電極に接続され」、段落【００４７】の記載「保持容量５３に保持された駆動信号は保持容量５３からＴＦＴ５６のゲート電極に転送される。＋電源線５７からの定電流は、上記駆動信号に応じてＴＦＴ５６を介して有機ＥＬ素子６０に供給される。」、上記（８）、及び図５の回路図において第２トランジスタＴＦＴ５４の第２主電極がＴＦＴ５６のゲート電極に接続されていることから、段落【００４７】に記載の「ＴＦＴ５６」は、段落【００４５】に記載の「第３トランジスタ」であると認められる。（以下、「ＴＦＴ５６」を「第３トランジスタＴＦＴ５６」という。）
（１０）図５の回路図から、第２トランジスタＴＦＴ５４の第１主電極が保持容量５３に接続されていると認められる。
（１１）図５の回路図から、第３トランジスタＴＦＴ５６の第２主電極がＴＦＴ５８の第１主電極に接続されており、ＴＦＴ５８のゲート電極がパルス信号線５９に接続され、第２主電極が有機ＥＬ素子６０に接続されていると認められる。
　したがって、引用文献１には、次の発明（以下、「引用発明」という。）が記載されている。
「１画素に、第１トランジスタＴＦＴ５１、第２トランジスタＴＦＴ５４、第３トランジスタＴＦＴ５６、ＴＦＴ５８、保持容量５３並びに有機ＥＬ素子６０を有し（段落【００３７】、段落【００４６】、上記（７）ないし（９））、
　第１トランジスタＴＦＴ５１のゲート電極が走査線に接続され、第１主電極が信号線に接続され、第２主電極が上記保持容量５３の第１電極に接続され（段落【００４５】、上記（７））、
　第２トランジスタＴＦＴ５４のゲート電極がパルス信号線５５に接続され、第１主電極が保持容量５３に接続され、第２主電極が第３トランジスタＴＦＴ５６のゲート電極に接続され（段落【００４５】、上記（８））、
　第３トランジスタＴＦＴ５６の第１主電極が第２の電源線に接続され、第２主電極がＴＦＴ５８の第１主電極に接続され（段落【００４５】、上記（９）、（１１））、
　ＴＦＴ５８のゲート電極がパルス信号線５９に接続され、第２主電極が有機ＥＬ素子６０に接続され（上記（１１））、
　第３トランジスタＴＦＴ５６を介して供給された定電流は、パルス信号線５９より入力されるオン信号によってＴＦＴ５８がオンした期間のみ該ＴＦＴ５８を介して有機ＥＬ素子６０に供給され、ＴＦＴ５８のオン期間の制御によって時間階調を得る（段落【００４５】、上記（７））、ＥＬ素子を用いた表示パネル（段落【０００１】）。」
２　引用文献２について
　引用文献２には、次の記載がある。
（１）「【０００９】
【発明が解決しようとする課題】
　本発明がなそうとする技術的課題は、前述の問題点を解決するためにデジタル画像データをピクセルごとにアナログ信号に変換し、アナログ信号に変換された画素信号を２重バッファ構造の駆動回路により充電されたアナログ画素信号により液晶セルを駆動させるための画像表示素子駆動装置及び設計方法を提供するところにある。」
（２）「【００２３】
　上述のように構成されたピクセル駆動部２２０は次の通り動作する。
【００２４】
　スイッチＳ５のゲート端子には図４（Ｆ）に示されたようなタイミングのゲート信号Ｓｓが印加され、各行別にスキャンして行きつつ入力されるアナログ画素信号を１次的にキャパシタＣ１に充電する。
【００２５】
　キャパシタＣ１に充電された画素信号は図４（Ｄ）に示されたようなタイミングのゲート信号Ｓｔにより１フレームの画面を同時にディスプレイさせるようにスイッチＳ６をスイッチングしてキャパシタＣ２に充電する。
【００２６】
　キャパシタＣ２に並列に連結されたスイッチＳ７は図４（Ｈ）に示されたようなタイミングを有するゲート信号Ｓｃ２により１フレームのディスプレイを終えた後で次のフレームを伝送される前にキャパシタＣ２及び液晶セル２３０にかかった電圧を放電させる。
【００２７】
　
ここで、キャパシタＣ１，Ｃ２及び液晶セルのキャパシタＣＬＣは ＤＣ Ｃｈａｒｇｅ Ｓｈａｒｉｎｇを補償するためにキャパシタの容量をＣ１≫Ｃ２≫ＣＬＣになるべく設計する。
【００２８】
　液晶セル２３０は図５に示されたようにフレーム別に＋／−電圧を交代で印加して液晶スティッキング現象を防止する。すなわち、液晶セル２３０の一方の端子にはフレーム別に＋／−電圧を交代で印加するために図４（Ｃ）のような画素電極電圧ＶＣ０ｍを印加し、液晶セル２３０の画素電極の向かい側端子にはキャパシタＣ２に充電された電圧を印加する。
【００２９】
　これにより、
液晶セル２３０は画素電極電圧ＶｃｏｍとキャパシタＣ２の充電電圧との差により画像を表示する。
２　引用文献３について
　引用文献３には、次の記載がある。
「【０００２】
　アクティブマトリクス型有機ＥＬ表示装置の画素は、通常有機ＥＬ素子の他にこれを駆動する素子として２つのトランジスタと１つの容量（２Ｔ１Ｃ）を有する画素回路で構成される。すなわち、有機ＥＬ発光素子を駆動する駆動ＴＦＴ、駆動ＴＦＴへのデータ電圧を印加する制御する書込みＴＦＴ、およびデータ電圧を保持する保持容量である。
【０００３】
　ＴＦＴのチャネルは、通常、アモルファスシリコン、微結晶シリコン、多結晶シリコン、酸化物半導体、有機物半導体などの薄膜半導体で形成される。」
 第５　対比・判断
１　本願発明１について
（１）対比
本願発明１と引用発明とを対比すると次のことがいえる。
ア　引用発明の「有機ＥＬ素子６０」及び「ＥＬ素子を用いた表示パネル」は、それぞれ、本願発明１の「発光素子」及び「ＥＬ表示装置」に相当する。
イ　引用発明の「保持容量５３」は、本願発明１の「第１の容量素子」に相当し、引用発明の「ゲート電極が走査線に接続され、第１主電極が信号線に接続され、第２主電極が上記保持容量５３の第１電極に接続され」る「第１トランジスタＴＦＴ５１」は、本願発明１の「ゲートが走査線に電気的に接続され、第１端子が信号線に電気的に接続され、第２端子が前記第１の容量素子の一方の電極に電気的に接続され」る「第１トランジスタ」に相当する。
ウ　上記イを踏まえると、引用発明の「ゲート電極がパルス信号線５５に接続され、第１主電極が保持容量５３に接続され、第２主電極が第３トランジスタＴＦＴ５６のゲート電極に接続され」る「第２トランジスタＴＦＴ５４」は、本願発明１の「ゲートが第１の制御線に電気的に接続され、第１端子が前記第１の容量素子の一方の電極に電気的に接続され、第２端子が前記第２の容量素子の一方の電極に電気的に接続され」る「第２トランジスタ」と、「ゲートが第１の制御線に電気的に接続され、第１端子が前記第１の容量素子の一方の電極に電気的に接続され」ている点で共通する。
エ　上記アを踏まえると、引用発明の「ゲート電極がパルス信号線５９に接続され、第２主電極が有機ＥＬ素子６０に接続され」る「ＴＦＴ５８」は、本願発明１の「ゲートが第２の制御線に電気的に接続され、第２端子が前記発光素子に電気的に接続され」る「第４トランジスタ」に相当する。
オ　上記エを踏まえると、引用発明の「第１主電極が第２の電源線に接続され、第２主電極がＴＦＴ５８の第１主電極に接続され」る「第３トランジスタＴＦＴ５６」は、本願発明１の「ゲートが前記第２の容量素子の一方の電極に電気的に接続され、第１端子が第１の電源線に電気的に接続され、第２端子が前記第４トランジスタの第１端子に電気的に接続され」る「第３トランジスタ」と、「第１端子が第１の電源線に電気的に接続され、第２端子が前記第４トランジスタの第１端子に電気的に接続され」る点で共通する。
カ　上記アないしオを踏まえると、引用発明の「１画素に、第１トランジスタＴＦＴ５１、第２トランジスタＴＦＴ５４、第３トランジスタＴＦＴ５６、ＴＦＴ５８、保持容量５３並びに有機ＥＬ素子６０を有」する「ＥＬ素子を用いた表示パネル」は、本願発明１の「一画素に、第１トランジスタ乃至第４トランジスタ、第１の容量素子、第２の容量素子並びに発光素子を有」する「ＥＬ表示装置」と、「第１トランジスタ乃至第４トランジスタ、第１の容量素子並びに発光素子を有」する点で共通する。
　したがって、本願発明１と引用発明との間には、次の一致点、相違点がある。
（一致点）
「一画素に、第１トランジスタ乃至第４トランジスタ、第１の容量素子並びに発光素子を有し、
　前記第１トランジスタは、ゲートが走査線に電気的に接続され、第１端子が信号線に電気的に接続され、第２端子が前記第１の容量素子の一方の電極に電気的に接続され、
　前記第２トランジスタは、ゲートが第１の制御線に電気的に接続され、第１端子が前記第１の容量素子の一方の電極に電気的に接続され、
　前記第３トランジスタは、第１端子が第１の電源線に電気的に接続され、第２端子が前記第４トランジスタの第１端子に電気的に接続され、
　前記第４トランジスタは、ゲートが第２の制御線に電気的に接続され、第２端子が前記発光素子に電気的に接続されるＥＬ表示装置。」
（相違点）
　本願発明１は、「一方の電極に」、「第２トランジスタ」の「第２端子」及び「第３トランジスタ」の「ゲート」が「電気的に接続され」、「第１の容量素子の静電容量」よりも小さい「静電容量」の「第２の容量素子」を有しており、「第２の容量素子に蓄積された電荷に応じて電流が流れることで前記発光素子による発光の輝度が制御され」るのに対し、引用発明はこのような容量素子を有しておらず、「ＴＦＴ５８のオン期間の制御によって」「有機ＥＬ素子６０」が「時間階調を得る」点。
（２）相違点についての判断
　上記相違点について検討する。
　引用文献１には、引用発明において、時間階調方式に換えて、アナログ階調方式である、保持容量に蓄積された電荷に応じて発光素子による発光の輝度を制御する方式を採用することは、示唆されていない。
　引用文献２には、容量がＣ１≫Ｃ２であるキャパシタＣ１，Ｃ２を有し、キャパシタＣ２に蓄積された電荷に応じて液晶セル２３０を駆動する電圧が制御される技術は記載されているが（段落【００２７】、【００２９】）、キャパシタに蓄積された電荷に応じて電流が流れることで発光素子による発光の輝度を制御する技術については記載されていない。
　そもそも、引用発明は、「時間階調方式は、上述のアナログ階調方式や面積階調方式における問題点を解決するために、発光素子の発光時間を変調して階調を出す方式であり」（段落【００１４】）という前提の下で、「上記時間階調方式で階調表示を行う場合の問題点を解決」（段落【００１７】）する発明であるから、引用発明において時間階調方式に換えてアナログ階調方式を採用することは、引用発明の前提に反することになる。
　したがって、本願発明１は、当業者であっても引用発明、引用文献２に記載された技術事項に基づいて容易に発明できたものであるとはいえない。
　なお、上記相違点に係る本願発明１の構成は、原査定において示された引用文献３においても記載も示唆もされていない。
２　本願発明２について
　本願発明２は、本願発明１を減縮した発明であり、本願発明１の特定事項を全て含む発明であるから、本願発明１と同じ理由により、当業者であっても、引用発明、引用文献２、引用発明３に記載された技術事項に基づいて当業者が容易に発明できたものとはいえない。
第６　原査定について
　上記「第５」「１」「（２）」に記載したように、引用文献１には、引用発明において、時間階調方式に換えて、アナログ階調方式である、保持容量に蓄積された電荷に応じて発光素子による発光の輝度を制御する方式を採用することは、示唆されておらず、引用文献２、３には、相違点に係る本願発明１の構成が記載も示唆もされていないから、原査定を維持することはできない。
第７　むすび
　以上のとおり、本願発明１及び２は、当業者が引用文献１及び２に基づいて容易に発明できたものではない。したがって、原査定の理由によっては、本願を拒絶することはできない。
　また、他に本願を拒絶すべき理由を発見しない。
　よって、結論のとおり審決する。